(57)【要約】      （修正有）【課題】ピアノ本体内へのマイクロホンの設置および撤去を、容易に行うことができると共に、収録音に音域のアンバランスの問題が発生し難いマイクロホン固定台を提供する。【解決手段】マイクロホン固定台１において、高さ方向に伸縮可能に構成されると共に、高さ方向に伸張させる付勢力を与える付勢部材（コイルばね）を備えた複数本の脚部４と、脚部４の一端部がそれぞれ下側面に取り付けられると共に、前記下側面にマイクロホン２を取り付けたマイクロホン取り付けプレート３とが備えられる。脚部４に備えた付勢部材によって、マイクロホン取り付けプレート３の上側面を、ピアノ１１本体上部に配置された蓋板１５の下側面に接して配置する。【選択図】図１
2020129713.tif 000002
【特許請求の範囲】
【請求項１】
高さ方向に伸縮可能に構成されると共に、高さ方向に伸張させる付勢力を与える付勢部材を備えた複数本の脚部と、
前記脚部の一端部がそれぞれ下側面に取り付けられると共に、前記下側面にマイクロホンを取り付けたマイクロホン取り付けプレートと、が備えられ、
前記脚部に備えた付勢部材によって、前記マイクロホン取り付けプレートの上側面を、ピアノ本体上部に配置された蓋板の下側面に接して配置することを特徴とするマイクロホン固定台。
【請求項２】
前記マイクロホン取り付けプレートには、前記脚部を着脱可能に取り付けるための複数の脚取り付け部が形成され、前記脚部を脚取り付け部に対して選択的に取り付けたことを特徴とする請求項１に記載のマイクロホン固定台。
【請求項３】
前記マイクロホン取り付けプレートの上側面には軟質性素材による保護材が配置され、前記マイクロホン取り付けプレートの上側面を、前記保護材を介してピアノ蓋板の下側面に接して配置することを特徴とする請求項１または２に記載のマイクロホン固定台。
【請求項４】
前記脚部は、高さ方向に配置された第１脚体と第２脚体とにより構成され、少なくとも一方の脚体に中空部が形成されて、他方の脚体が前記中空部内に挿入されることで、前記脚部が伸縮可能に構成されていることを特徴とする請求項１ないし３のいずれか１項に記載のマイクロホン固定台。
【請求項５】
前記付勢部材は、前記第１脚体と第２脚体の外周面に沿って配置されるか、もしくは一方の脚体に形成された中空部内に配置されていることを特徴とする請求項４に記載のマイクロホン固定台。
【発明の詳細な説明】
【技術分野】
【０００１】
この発明は、例えばグランドピアノの演奏録音を行う場合に好適に利用することができ、マイクロホンをピアノ本体内部に設置することができるマイクロホン固定台に関する。
【背景技術】
【０００２】
例えばグランドピアノの演奏録音を行う場合には、ピアノ本体の上部に開閉可能に設置された蓋板（通称大屋根とも称する。）を開けた状態で録音をする場合と、閉じた状態で録音をする場合がある。
前記した大屋根を開けた状態で録音をする場合は、ピアノからある程度の距離を隔てた位置にマイクロホンが設置されるために、ピアノから放音される楽音以外の音が収録され易いという問題が生ずることになる。
【０００３】
そこで、ピアノの蓋板を閉じた状態で録音をすることで、前記したような楽音以外の環境ノイズなどの混入も阻止することができる。これには、ピアノ本体内にマイクロホンを設置することが必要となる。
【０００４】
例えば特許文献１に開示されたピアノ録音装置は、ピアノの大屋根を閉じた状態で録音をする場合の一例を示しており、これはピアノ本体の下底部を形成する支柱組み立て体の一部にマイクロホンを設置するようにしている。
すなわち、支柱組み立て体を構成する水平方向に配置された支柱に対して、Ｌ字型の支持体を取り付け、この支持体を介してピアノ本体内にマイクロホンが設置される。
【０００５】
そして、特許文献１の記載によると、低音域側の弦（ピアノ線）が配置された付近の支柱と、高音域側の弦（ピアノ線）が配置された付近の支柱のそれぞれに、前記した支持体を介してマイクロホンを取り付けることで、２つのマイクロホンによって低音域側の音と、高音域側の音をそれぞれ捕らえて、音のバランスをとる工夫がなされている。
【先行技術文献】
【特許文献】
【０００６】
【特許文献１】特許第４７３３４６３号公報
【０００７】
一方、ピアノ本体内にマイクロホンを設置するその他の例として、いくつかの具体例を挙げることができる。
図１０はその一つの例を示しており、図はクランドピアノの前半部について、手前の側板を取り除いてピアノ本体部１２の内部状態を示している。
図に示すピアノ本体部１２内には多数の弦１６が平行状態に配置され、その上部には蓋板１５が、閉じた状態で配置されている。なお、符号１４はピアノ本体の先端部側の側板を示している。
【０００８】
図１０に示す例は、ピアノ本体部１２内の左右の側板間に棒状の支持体（いわゆる突っ張り棒）２４が掛け渡される。そして、棒状の支持体２４の適宜の位置に、取り付け金具２１を介してマイクロホン２が取り付けられる。
また、図１１はピアノ本体内にマイクロホンを設置する他の例を示しており、この図１１においても図１０に示したピアノ本体部１２と同一の部分を示している。
この図１１に示す例は、マグネットキャッチ２５付きの取り付け金具２１が用いられ、ピアノ本体部１２内に具備されたピアノフレーム１２ａの一部に、マグネットキャッチ２５を吸着させると共に、取り付け金具２１を介してマイクロホン２をピアノ本体部１２内に設置した構成が採用される。
【０００９】
図１２はピアノ本体内にマイクロホンを設置するさらに他の例を示しており、図１２においても図１０に示したピアノ本体部１２と同一の部分を示している。
この図１２に示す例は、クリップ２６付きの取り付け金具２１が用いられ、ピアノ本体部１２内に配置されたピアノフレーム１２ａの一部に、クリップ２６を挟み込んで係止させると共に、取り付け金具２１を介してマイクロホン２をピアノ本体部１２内に設置した構成が採用される。
【発明の概要】
【発明が解決しようとする課題】
【００１０】
ところで、特許文献１に開示されたピアノ録音装置によると、ピアノ本体の支柱組み立て体を構成するいずれかの支柱を選択してマイクロホンを設置するものであるため、このマイクロホンはその支柱に接近した弦からの音を捕らえ易い。このために、収録音に音域のアンバランスの問題が発生する。
したがって、この問題を解消するために特許文献１の開示によると、高音域側と低音域側に近い支柱にそれぞれマイクロホンを取り付けて、音のバランスをとる工夫が必要となる。このために、マイクロホンの設置作業が繁雑であるだけでなく、複数のマイクロホンによる音のバランスの調整などの付帯的な調整作業も必要となる。
【００１１】
また、図１０〜図１２に示した従来におけるマイクロホンの設置例においても、音源とマイクロホンとの距離が近くなるために、マイクロホンに近い特定な弦の音が大きく集音され易く、音域のアンバランスの問題が発生する。
また例えば、図１０に示したマイクロホンの設置例によると、ピアノ本体の左右の側板間に突っ張り棒としての支持体２４を掛け渡すものとなるため、ピアノ本体に損傷を与えるという問題も発生し得る。
【００１２】
この発明は特許文献１に示すピアノ録音装置や、図１０〜図１２に示したピアノ本体内へのマイクロホンの設置手段が有する前記した問題点を解消しようとするものであり、特にピアノ本体内へのマイクロホンの設置および撤去を、容易に行うことができると共に、グランドピアノのサイズの大小に拘らず、マイクロホンを常にピアノ上面の蓋板（大屋根）の直下に位置するように設定可能なマイクロホン固定台を提供することを主要な目的とするものである。
【課題を解決するための手段】
【００１３】
前記した課題を解決するためになされたこの発明に係るマイクロホン固定台は、高さ方向に伸縮可能に構成されると共に、高さ方向に伸張させる付勢力を与える付勢部材を備えた複数本の脚部と、前記脚部の一端部がそれぞれ下側面に取り付けられると共に、前記下側面にマイクロホンを取り付けたマイクロホン取り付けプレートとが備えられ、前記脚部に備えた付勢部材によって、前記マイクロホン取り付けプレートの上側面を、ピアノ本体上部に配置された蓋板の下側面に接して配置することを特徴とする。
【００１４】
この場合、好ましい形態においては、前記マイクロホン取り付けプレートには、前記脚部を着脱可能に取り付けるための複数の脚取り付け部が形成され、前記脚部は脚取り付け部に対して選択的に取り付けられる。
そして、前記マイクロホン取り付けプレートの上側面には軟質性素材による保護材が配置され、前記マイクロホン取り付けプレートの上側面を、前記保護材を介してピアノ蓋板の下側面に接して配置するように構成することが望ましい。
【００１５】
また、前記脚部は、高さ方向に配置された第１脚体と第２脚体とにより構成され、少なくとも一方の脚体に中空部が形成されて、他方の脚体が前記中空部内に挿入されることで、前記脚部が伸縮可能に構成される。
加えて、前記付勢部材は、前記第１脚体と第２脚体の外周面に沿って配置されるか、もしくは一方の脚体に形成された中空部内に配置された構成を好適に採用することができる。
【発明の効果】
【００１６】
この発明に係るマイクロホン固定台によると、マイクロホン取り付けプレートの下側面にマイクロホンが取り付けられ、さらにその下側面には高さ方向に伸張させる付勢力が与えられた複数本の脚部が取り付けられる。そして、脚部に備えた付勢部材によって、マイクロホン取り付けプレートの上側面を、ピアノ本体上部に配置された蓋板の下側面に接して配置するように構成される。
したがって、音源（弦）と前記マイクロホンとの距離を最大限にとることができるので、マイクロホンに近い特定な弦の音が大きく集音されるという音域のアンバランスの問題を大幅に解消させることができる。
【００１７】
また、マイクロホン取り付けプレートを支持する脚部は伸縮可能であるため、マイクロホンを取り付けたマイクロホン取り付けプレートを、ピアノのサイズに拘らず、ピアノ本体上部に配置された蓋板の下側面に接して配置することができる。
そして、マイクロホンと複数本の脚部を取り付けたマイクロホン取り付けプレートを、そのままピアノ本体内に収容するので、ピアノ本体内に対するマイクロホンの設置および撤去を、容易に行うことができる。
【図面の簡単な説明】
【００１８】
【図１】この発明に係るマイクロホン固定台をグランドピアノ内に設置した状態を示す側面図である。
【図２】マイクロホン取り付けプレートを下面側から見た底面図である。
【図３】マイクロホン取り付けプレートにバウンダリーマイクロホンを取り付けた例を示す底面図である。
【図４】マイクロホン取り付けプレートにラベリアマイクロホンを取り付けた例を示す底面図である。
【図５】マイクロホン固定台の全体構成を示した斜視図である。
【図６】マイクロホン固定台に取り付けられる脚部の一部断面図である。
【図７】同じく脚部の他の例を示す一部断面図である。
【図８】同じく脚部のその他の例を示す一部断面図である。
【図９】マイクロホン固定台の好ましい配置位置を示すグランドピアノ内の写真である。
【図１０】ピアノ本体内にマイクロホンを設置する従来の例を示す側面図である。
【図１１】同じく従来の他の例を示す側面図である。
【図１２】同じく従来のその他の例を示す側面図である。
【発明を実施するための形態】
【００１９】
この発明に係るマイクロホン固定台について図に示す実施の形態に基づいて説明する。  図１は、この発明に係るマイクロホン固定台を利用して、グランドピアノ内にマイクロホンを設置した状態を示している。
グランドピアノ１１は周知のとおり、ピアノ本体部１２を床から所定の高さ位置に配置するために、３本の脚部１３によりピアノ本体部１２を支えている。そして、ピアノ本体部１２は外周壁面を構成する側板１４を備え、その上面には蓋板（大屋根とも言う。）１５が、図示せぬヒンジにより、開閉可能に取り付けられている。
そして、ピアノ本体部１２内には多数の弦１６が配列されており、これらの弦１６が鍵盤に連動するハンマーの打撃によって、発音されることの周知のとおりである。
【００２０】
マイクロホン固定台１は、下側面（背面）にマイクロホン２を取り付けたマイクロホン取り付けプレート３と、このマイクロホン取り付けプレート３を支持する複数本の脚部４より構成されている。
そして、マイクロホン固定台１は、ピアノ本体部１２内の例えばフレーム上に載置された状態で大屋根１５が閉じられ、この状態でプレート３の上側面は、大屋根１５の下側面に接した状態でピアノ本体部１２内に収容される。
【００２１】
以下、マイクロホン固定台１について説明する。
図２はマイクロホン取り付けプレート（以下、単にプレートと称する場合もある。）３を下側面から見た状態で示しており、この例においてはプレート３は長方形状に形成されているが、プレート３の形状はこれに限定されるものではない。また、このプレート３は木製、樹脂、金属やその他の素材により形成することができる。
プレート３の中央部および長手方向の一端部に寄った位置には、マイクロホン取り付け孔３ａ，３ｂが、それぞれ穿設されている。
【００２２】
一対のマイクロホン取り付け孔３ａは、図４に示すようにマイクロホンの一例としてラベリアマイクロホン２をプレート３の下側面に取り付ける場合に用いられる。この場合には、取り付け金具２１と、前記一対の取り付け孔３ａにねじ込まれる締結用ビス２２が併用される。
また、一対のマイクロホン取り付け孔３ｂは、図３に示すようにマイクロホンの一例としてバウンダリーマイクロホン２をプレート３の下側面に取り付ける場合に用いられる。この場合には、プレート３の上側面から前記取り付け孔３ｂに挿通された図示せぬ締結用のビスが、バウンダリーマイクロホン２の筐体底面にねじ込まれることにより、マイクロホン２が取り付けられる。
【００２３】
一方、前記プレート３には、図２〜図４に示すように、その周縁に沿って前記した脚部４を着脱可能に取り付けるための複数の脚取り付け部３ｃが形成されている。
すなわち、この実施の形態においては、前記脚部４の上端部をプレート３にねじ込んで取り付けることができるようにプレート３には、ナット（脚取り付け部と同一の符号３ｃで示す）が埋め込まれている。
これらの脚取り付け部５を選択的に利用することで、ピアノ本体部１２内の例えばフレーム形状等に対応させて、脚部４をプレート３に取り付けることができる。これにより、マイクロホン固定台１をピアノ本体部１２内の好ましい任意の位置に配置することが可能となる。
【００２４】
図５は、予めマイクロホン２を下側面に取り付けたプレート３に対して、脚部４を取り付けた例を示している。なお、図５に示す例はプレート３の隅角部に配置された脚取り付け部３ｃを利用して、４本の脚部４をそれぞれ取り付けた形態を示している。
図５に示した脚部４の基本構成は、図６〜図８にもその主要部が断面図で示されている。この脚部４は上側の第１脚体４Ａと、下側の第２脚体４Ｂを備えており、これらの脚体４Ａおよび４Ｂは、好ましくはアルミパイプを利用して構成される。
そして、第１脚体４Ａの中空部内に第２脚体４Ｂが摺動可能に挿入されることで、脚部４は伸縮可能に構成されている。
【００２５】
前記第１脚体４Ａの上部開口には、ボルト４ａがカシメなどの手段を利用して取り付けられており、このボルト４ａの雄ねじがプレート３に埋め込まれた脚取り付け部としてのナット３ｃにねじ込まれることにより、脚部４はプレート３の下側面に取り付けられる。
また、第２脚体４Ｂの下端部には、図５に示したように例えばシリコンゴムにより成形された円柱状のゴム足４ｂが取り付けられており、これによりマイクロホン固定台１を、ピアノ本体部１２内に収容した場合において、ピアノ本体部１２内に傷を付ける問題が避けられるように配慮されている。
【００２６】
そして、図５に示したマイクロホン固定台１においては、前記脚部４を高さ方向に伸張させる付勢力を与える付勢部材として、コイルばね５ａが脚部４の外周面に沿って配置されている。
これにより、マイクロホン固定台１をピアノ本体部１２内に収容した場合には、プレート３は、ピアノの蓋板（大屋根）１５によって押し下げられることでコイルばね５ａは収縮し、プレート３がピアノの蓋板１５によって押し付けられた状態になされる。
【００２７】
なお、前記プレート３の上側面には、軟質性素材による保護材６として、例えばフェルトなどの保護シートが貼着して配置されていることが望ましい。この保護材６はピアノの大屋根１５の背面に当接することで、プレート３が直接的に大屋根１５の背面に当接するのを避けることができ、大屋根１５が硬質なプレート３による損傷を受けるのを避けることができる。
【００２８】
図５に示す例においては、前記保護材６は円形状に成形され、プレート３の隅角部において、脚取り付け部（ナット）３ｃを上面から覆うように配置されている。
しかし、この保護材６は図に示すような部分的ではなく、例えばプレート３の全面を覆うように取り付けられていても良い。
【００２９】
図６は、脚部４に配置される付勢部材の他の例を示している。この図６に示す例は第１脚体４Ａの中空部内にコイルばね５ｂが収容されている。すなわち、このコイルばね５ｂは、第１脚体４Ａの上部に取り付けられたボルト４ａの背面と、第２脚体４Ｂの上端部との間に配置されている。これにより、コイルばね５ｂが脚部４に対して、高さ方向に伸張させる付勢力を与えている。
【００３０】
また、図７に示す例は図６に示すコイルばね５ｂに代えて、Ｚ字状に折り曲げた複数の板ばね５ｃを積み重ねて付勢部材としている。
さらに、図８に示す例は図６に示すコイルばね５ｂに代えて、複数のブロック状に成形された例えばウレタンフォームなどによるクッション材５ｄを積み重ねて付勢部材としている。
【００３１】
図９は、マイクロホン固定台１の好ましい配置位置を示すものであり、これはグランドピアノ１１の大屋根を外した一例を示している。この例に示されたようにピアノ本体部１２内には、ピアノ本体部１２の中央部から右側に向かう方向にピアノフレーム１２ａが露出している。
マイクロホン固定台１は、好ましくはピアノフレーム１２ａのいずれかの部分に配置することで、音源となる各弦１６からの距離が比較的等しい位置を選定することができる。
【００３２】
しかも、前記したマイクロホン固定台１によると、マイクロホン２が取り付けられたプレート３が、ピアノ本体上部に配置された蓋板１５の下側面に接して配置するように構成されるので、ピアノ本体内において、音源（各弦１６）とマイクロホン２との距離を最大限にとることができる。
したがって、この発明に係るマイクロホン固定台によると、マイクロホンに近い特定な弦の音が大きく集音されるという音域のアンバランスの問題を解消させることができるなど、前記した発明の効果の欄に記載した作用効果を得ることができる。
【符号の説明】
【００３３】
１      マイクロホン固定台
２      マイクロホン
３      マイクロホン取り付けプレート
３ａ    マイクロホン取り付け孔
３ｂ    マイクロホン取り付け孔
３ｃ    脚取り付け部（ナット）
４      脚部
４Ａ    第１脚体
４ａ    ボルト
４Ｂ    第２脚体
４ｂ    ゴム足
５ａ    付勢部材（コイルばね）
５ｂ    付勢部材（コイルばね）
５ｃ    付勢部材（板ばね）
５ｄ    付勢部材（クッション材）
６      保護材
１１    グランドピアノ
１２    ピアノ本体部
１２ａ  ピアノフレーム
１３    ピアノ脚部
１４    側板
１５    蓋板（大屋根）
１６    弦（ピアノ線）
【図１】
2020129713.tif 000003
【図２】
2020129713.tif 000004
【図３】
2020129713.tif 000005
【図４】
2020129713.tif 000006
【図５】
2020129713.tif 000007
【図６】
2020129713.tif 000008
【図７】
2020129713.tif 000009
【図８】
2020129713.tif 000010
【図９】
2020129713.tif 000011
【図１０】
2020129713.tif 000012
【図１１】
2020129713.tif 000013
【図１２】
2020129713.tif 000014